(57)【要約】【課題】洗浄モードの多様化に対応しつつ、固定ディスク及び可動ディスクの大型化を抑制し、かつ良好な制御性を得られる衛生洗浄装置を提供する。【解決手段】４つの流路を有する洗浄ノズルと、４つの流路に洗浄水を供給する流路切替部と、を備え、流路切替部は、固定及び可動ディスクを有し、固定ディスクは、第１円周上に配置された４つのポートと、第２円周上に配置され背面側で第３及び第４ポートと連通する第１及び第２補助ポートと、を有し、可動ディスクは、４つのポートを露呈させ、第１及び第２ポートの中間位置において第１及び第２ポートを連通させる第１開口部と、中間位置において第１及び第２補助ポートを露呈させる第２及び第３開口部と、を有し、中間位置は、可動ディスクの規制範囲の反対側に設けられることを特徴とする衛生洗浄装置である。【選択図】図４
2018031125.tif 000002
【特許請求の範囲】
【請求項１】
４つの流路を有し、前記４つの流路のそれぞれから供給された洗浄水を吐水可能な洗浄ノズルと、
前記４つの流路に選択的に洗浄水を供給するとともに、前記４つの流路に同時に洗浄水を供給可能な流路切替部と、
を備え、
前記流路切替部は、
前面と、前記前面の反対側の背面と、を有する固定ディスクと、
前記前面に当接し、前記前面と直交する方向を軸に前記前面の上で摺動回転する可動ディスクと、
を有し、
前記固定ディスクは、
前記前面において前記可動ディスクの回転軸を中心とする第１円周上に配置され、それぞれ時計方向に順に並び、前記４つの流路のいずれかと接続される第１〜第４の４つのポートと、
前記前面において前記第１円周と同軸かつ前記第１円周よりも小さい第２円周上に配置され、前記背面側において前記第３ポートと連通する第１補助ポートと、
前記前面において前記第２円周上に配置され、前記背面側において前記第４ポートと連通する第２補助ポートと、
前記前面に設けられ、前記第１ポートから前記第２ポートに向かって延びる第１溝部と、
前記前面に設けられ、前記第２ポートから前記第１ポートに向かって延びる第２溝部と、
を有し、
前記可動ディスクは、
前記第１円周上に配置され、前記第１〜第４の４つのポートを選択的に露呈させるとともに、前記第１ポートと前記第２ポートとの間の中間位置において前記第１溝部及び前記第２溝部を同時に露呈させる第１開口部と、
前記第１開口部が前記中間位置にある状態において、前記第１補助ポートを露呈させる第２開口部と、
前記第１開口部が前記中間位置にある状態において、前記第２補助ポートを露呈させる第３開口部と、
を有するとともに、前記第１円周上において前記第１開口部を配置可能な可動範囲と、前記第１開口部の配置が規制された規制範囲と、を有し、
前記中間位置は、前記第１円周の中心を挟んで前記規制範囲の反対側に設けられていることを特徴とする衛生洗浄装置。
【請求項２】
前記第２補助ポートは、前記第１円周の中心を挟んで前記第１補助ポートの反対側に設けられていることを特徴とする請求項１記載の衛生洗浄装置。
【請求項３】
前記第１開口部と前記第１円周の中心とを結ぶ仮想線は、前記第２開口部と前記第３開口部とを結ぶ仮想線と直交することを特徴とする請求項２記載の衛生洗浄装置。
【請求項４】
前記第１〜第４の４つのポートは、前記第１円周の中心を基準に、前記前面を等角度の４つの領域に分けた時に、前記４つの領域のそれぞれに配置されることを特徴とする請求項１〜３のいずれか１つに記載の衛生洗浄装置。
【発明の詳細な説明】
【技術分野】
【０００１】
本発明の態様は、一般的に、衛生洗浄装置に関する。
【背景技術】
【０００２】
おしりなどの人体局部を洗浄する衛生洗浄装置において、固定ディスクと可動ディスクとを用いて接続する流路を切り替えることが知られている（例えば、特許文献１）。
【０００３】
衛生洗浄装置では、洗浄モードの多様化などにともない、切り替える流路の数が増大している。このため、固定ディスクに必要となるポートの数が増え、固定ディスク及び可動ディスクが大型化してきている。例えば、複数のポートを径方向に並べることで、固定ディスクが大径化している。
【０００４】
また、局部洗浄用のポートでは、複数のポートに選択的に通水できるようにするとともに、複数のポートに同時に通水できるようにすることも求められている。この際、可動ディスクの可動範囲において、複数のポートを同時に接続する状態が複数存在すると、可動ディスクの動作中に別の流路から不意に吐水されてしまう可能性が生じる。この場合、可動ディスクを回転させて流路を切り替える際に、給水を停止させる必要が生じ、制御性の低下を招いてしまう。
【０００５】
このため、衛生洗浄装置では、洗浄モードの多様化に対応しつつ、固定ディスク及び可動ディスクの大型化を抑制し、かつ良好な制御性を得られるようにすることが望まれる。
【先行技術文献】
【特許文献】
【０００６】
【特許文献１】特開２０１１−４２９８１号公報
【発明の概要】
【発明が解決しようとする課題】
【０００７】
本発明は、かかる課題の認識に基づいてなされたものであり、洗浄モードの多様化に対応しつつ、固定ディスク及び可動ディスクの大型化を抑制し、かつ良好な制御性を得られる衛生洗浄装置を提供することを目的とする。
【課題を解決するための手段】
【０００８】
第１の発明は、４つの流路を有し、前記４つの流路のそれぞれから供給された洗浄水を吐水可能な洗浄ノズルと、前記４つの流路に選択的に洗浄水を供給するとともに、前記４つの流路に同時に洗浄水を供給可能な流路切替部と、を備え、前記流路切替部は、前面と、前記前面の反対側の背面と、を有する固定ディスクと、前記前面に当接し、前記前面と直交する方向を軸に前記前面の上で摺動回転する可動ディスクと、を有し、前記固定ディスクは、前記前面において前記可動ディスクの回転軸を中心とする第１円周上に配置され、それぞれ時計方向に順に並び、前記４つの流路のいずれかと接続される第１〜第４の４つのポートと、前記前面において前記第１円周と同軸かつ前記第１円周よりも小さい第２円周上に配置され、前記背面側において前記第３ポートと連通する第１補助ポートと、前記前面において前記第２円周上に配置され、前記背面側において前記第４ポートと連通する第２補助ポートと、前記前面に設けられ、前記第１ポートから前記第２ポートに向かって延びる第１溝部と、前記前面に設けられ、前記第２ポートから前記第１ポートに向かって延びる第２溝部と、を有し、前記可動ディスクは、前記第１円周上に配置され、前記第１〜第４の４つのポートを選択的に露呈させるとともに、前記第１ポートと前記第２ポートとの間の中間位置において前記第１溝部及び前記第２溝部を同時に露呈させる第１開口部と、前記第１開口部が前記中間位置にある状態において、前記第１補助ポートを露呈させる第２開口部と、前記第１開口部が前記中間位置にある状態において、前記第２補助ポートを露呈させる第３開口部と、を有するとともに、前記第１円周上において前記第１開口部を配置可能な可動範囲と、前記第１開口部の配置が規制された規制範囲と、を有し、前記中間位置は、前記第１円周の中心を挟んで前記規制範囲の反対側に設けられていることを特徴とする衛生洗浄装置である。
【０００９】
この衛生洗浄装置によれば、４つのポートを同一円周上に配置することができるとともに、第１補助ポート及び第２補助ポートを同一円周上に配置することができ、洗浄モードの多様化に対応しつつ、固定ディスク及び可動ディスクの大型化を抑制することができる。また、４つのポートに同時に通水を行う中間位置を、規制範囲の反対側に設けることにより、可動ディスクの可動範囲において、４つのポートに同時に通水が行われる状態を、一度のみとすることができる。これにより、意図しない流路への洗浄水の供給を抑制し、制御性を向上させることができる。従って、洗浄モードの多様化に対応しつつ、固定ディスク及び可動ディスクの大型化を抑制し、かつ良好な制御性を得られる衛生洗浄装置を提供することができる。
【００１０】
第２の発明は、第１の発明において、前記第２補助ポートは、前記第１円周の中心を挟んで前記第１補助ポートの反対側に設けられていることを特徴とする衛生洗浄装置である。
【００１１】
この衛生洗浄装置によれば、第１補助ポート及び第２補助ポートを効率的に配置することができる。可動ディスクの可動範囲を広げ、固定ディスク及び可動ディスクの大型化をより抑制することができる。
【００１２】
第３の発明は、第２の発明において、前記第１開口部と前記第１円周の中心とを結ぶ仮想線は、前記第２開口部と前記第３開口部とを結ぶ仮想線と直交することを特徴とする衛生洗浄装置である。
【００１３】
この衛生洗浄装置によれば、第２開口部及び第３開口部を効率的に配置し、固定ディスク及び可動ディスクの大型化をより抑制することができる。
【００１４】
第４の発明は、第１〜第３のいずれか１つの発明において、前記第１〜第４の４つのポートは、前記第１円周の中心を基準に、前記前面を等角度の４つの領域に分けた時に、前記４つの領域のそれぞれに配置されることを特徴とする衛生洗浄装置である。
【００１５】
この衛生洗浄装置によれば、第１〜第４の４つのポートを効率的に配置し、固定ディスク及び可動ディスクの大型化をより抑制することができる。
【発明の効果】
【００１６】
本発明の態様によれば、洗浄モードの多様化に対応しつつ、固定ディスク及び可動ディスクの大型化を抑制し、かつ良好な制御性を得られる衛生洗浄装置が提供される。
【図面の簡単な説明】
【００１７】
【図１】実施形態にかかるトイレ装置及び衛生洗浄装置を表す斜視図である。
【図２】実施形態に係る衛生洗浄装置の要部構成を表すブロック図である。
【図３】流調・流路切替弁を表す説明図である。
【図４】図４（ａ）及び図４（ｂ）は、固定ディスクを表す平面図及び背面図である。
【図５】第１調整溝を表す断面図である。
【図６】固定ディスク及び可動ディスクを表す平面図である。
【図７】図７（ａ）〜図７（ｈ）は、可動ディスクの動作を表す平面図である。
【発明を実施するための形態】
【００１８】
以下、実施形態について図面を参照しつつ説明する。なお、各図面中、同様の構成要素には同一の符号を付して詳細な説明は適宜省略する。  
図１は、実施形態にかかるトイレ装置及び衛生洗浄装置を表す斜視図である。  
図１に表したように、トイレ装置２は、洋式腰掛便器（以下説明の便宜上、単に「便器」と称する）４と、衛生洗浄装置１０と、を備える。衛生洗浄装置１０は、便器４の上に取り付けられる。衛生洗浄装置１０は、便器４に対して一体的に取り付けてもよいし、便器４に対して着脱可能に取り付けてもよい。
【００１９】
衛生洗浄装置１０は、本体部１２と、便座１４と、便蓋１６と、を有する。便蓋１６は、衛生洗浄装置１０に必要に応じて設けられ、省略可能である。便座１４と便蓋１６とは、本体部１２に対して回転可能に軸支されている。
【００２０】
ここで、本願明細書においては、便座１４に座った使用者からみて上方を「上方」とし、便座１４に座った使用者からみて下方を「下方」とする。また、開いた状態の便蓋１６に背を向けて便座１４に座った使用者からみて前方を「前方」とし、後方を「後方」とし、右側を「右側方」とし、左側を「左側方」とする。
【００２１】
便器４は、ボウル部４ａを有する。ボウル部４ａは、下方に凹む凹状である。便器４は、ボウル部４ａにおいて使用者の尿や便などの排泄物を受ける。
【００２２】
衛生洗浄装置１０の本体部１２は、便器４のボウル部４ａよりも後方の部分の上に取り付けられる。本体部１２は、ケースカバー２０を有する。本体部１２は、ケースカバー２０において、便座１４及び便蓋１６を回転可能に軸支する。
【００２３】
図２は、実施形態に係る衛生洗浄装置の要部構成を表すブロック図である。  
図２に表したように、衛生洗浄装置１０は、洗浄水供給部３０と、着座検知センサ３１と、人体検知センサ３２と、洗浄ノズル３４と、ノズル洗浄室３６と、噴霧ノズル３８と、脱臭ユニット４０と、制御部４２と、を有する。
【００２４】
着座検知センサ３１は、使用者が便座１４に着座する直前において便座１４の上方に存在する人体や、便座１４に着座した使用者を検知することができる。着座検知センサ３１は、便座１４に着座した使用者だけではなく、便座１４の上方に存在する使用者を検知してもよい。このような着座検知センサ３１としては、例えば、赤外線投受光式の測距センサを用いることができる。着座検知センサ３１は、使用者が着座した際の荷重によってＯＮ／ＯＦＦが行われるスイッチであってもよい。着座検知センサ３１は、使用者の着座の検知に応答して、着座の検知を表す信号を制御部４２に出力する。
【００２５】
人体検知センサ３２は、例えば赤外線信号を利用した焦電センサであり、トイレ装置２が設置された室内（以下、トイレルームと称す）に入室した入室者を検知する。人体検知センサ３２は、制御部４２に接続されている。人体検知センサ３２は、検知結果を制御部４２に入力する。
【００２６】
人体検知センサ３２は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ３２として用いた場合には、人体検知センサ３２は、トイレルームのドア越しに使用者の存在を検知することが可能となる。つまり、人体検知センサ３２は、トイレルームに入室する前の使用者を検知することができる。
【００２７】
制御部４２は、洗浄水供給部３０、人体検知センサ３２、洗浄ノズル３４、ノズル洗浄室３６、噴霧ノズル３８、及び脱臭ユニット４０のそれぞれの動作を制御する。制御部４２は、例えば、操作部４４から入力される操作指示に応じて、各部の動作を制御する。操作部４４は、本体部１２に設けてもよいし、本体部１２とは別に設けてもよい。操作部４４は、いわゆるリモコンでもよい。制御部４２と操作部４４との間の通信は、有線でもよいし、無線でもよい。
【００２８】
洗浄水供給部３０は、流路開閉弁５０と、熱交換器５１と、電解槽５２と、大気解放式のバキュームブレーカー（ＶＢ）５３と、電磁ポンプ５４と、流調・流路切替弁５５（流路切替部）と、を有する。
【００２９】
流路開閉弁５０は、開閉可能な電磁バルブであり、制御部４２からの指令に基づいて洗浄水の供給を制御する。流路開閉弁５０は、給水源から供給される洗浄水の給水と止水とを切り替える。
【００３０】
熱交換器５１は、流路開閉弁５０の下流に設けられている。熱交換器５１は、ヒータにより、給水源から供給された洗浄水を加熱して例えば規定の温度まで昇温させる。熱交換器５１は、給水源から供給された洗浄水を、設定された温度の温水に変換する。以下、本願明細書において、「洗浄水」は、給水源から供給された水（冷水）と、熱交換器５１によって温められた温水と、を含むものとする。
【００３１】
熱交換器５１は、例えばセラミックヒータなどを用いた瞬間加熱式（瞬間式）の熱交換器でもよいし、貯湯タンクを用いた貯湯加熱式の熱交換器でもよい。使用者は、操作部４４を操作することにより温水温度を設定することができる。
【００３２】
電解槽５２は、熱交換器５１の下流に設けられている。電解槽５２は、一対の電極を有し、制御部４２から送信された通電の制御信号に基づいて、電極間に流れる洗浄水（水道水）を電気分解する。電解槽５２は、洗浄水に含まれる塩素イオンを電気分解することにより、次亜塩素酸（ＨＣｌＯ）を含む液（以下、「機能水」と称する）を生成する。
【００３３】
電解槽５２を通過した洗浄水、及び電解槽５２によって生成された機能水は、電磁ポンプ５４を介して、洗浄ノズル３４へ送られる。電磁ポンプ５４は、例えば、洗浄ノズル３４に供給される洗浄水に脈動を与える。
【００３４】
洗浄ノズル３４は、吐水部３５を有する。吐水部３５は、例えば、おしり洗浄吐水孔３５ａと、おしりソフト吐水孔３５ｂと、ビデ洗浄吐水孔３５ｃと、を有する。
【００３５】
また、洗浄ノズル３４は、おしり洗浄流路ＦＣ１と、おしりソフト流路ＦＣ２と、ビデ洗浄流路ＦＣ３と、ワイドビデ洗浄流路ＦＣ４と、を有する。おしり洗浄流路ＦＣ１は、おしり洗浄吐水孔３５ａに接続され、おしり洗浄吐水孔３５ａに洗浄水又は機能水を供給する。おしりソフト流路ＦＣ２は、おしりソフト吐水孔３５ｂに接続され、おしりソフト吐水孔３５ｂに洗浄水又は機能水を供給する。ビデ洗浄流路ＦＣ３及びワイドビデ洗浄流路ＦＣ４は、ビデ洗浄吐水孔３５ｃに接続され、ビデ洗浄吐水孔３５ｃに洗浄水又は機能水を供給する。但し、洗浄ノズル３４が有する吐水孔及び流路は、これだけには限定されない。吐水孔の数は、上記のように流路の数と一致していなくてもよいし、流路の数と同じでもよい。
【００３６】
洗浄ノズル３４へ送られた洗浄水又は機能水は、吐水部３５から上方に向かって吐水される。吐水部３５から吐水された洗浄水は、便座１４に着座した使用者の局部洗浄などに用いられる。また、洗浄ノズル３４においては、ビデ洗浄流路ＦＣ３からビデ洗浄吐水孔３５ｃに洗浄水を供給することにより、ビデ洗浄が行われ、ワイドビデ洗浄流路ＦＣ４からビデ洗浄吐水孔３５ｃに洗浄水を供給することにより、ワイドビデ洗浄が行われる。機能水は、各吐水孔３５ａ〜３５ｃ、及び各吐水孔３５ａ〜３５ｃへと至る流路の洗浄などに用いられる。このように、洗浄ノズル３４は、４つの流路ＦＣ１〜ＦＣ４を有し、４つの流路ＦＣ１〜ＦＣ４のそれぞれから供給された洗浄水又は機能水を吐水可能に構成されている。
【００３７】
電磁ポンプ５４と洗浄ノズル３４との間には、流調・流路切替弁５５が設けられている。流調・流路切替弁５５は、電磁ポンプ５４を介して供給された洗浄水又は機能水の行き先を、おしり洗浄流路ＦＣ１、おしりソフト流路ＦＣ２、ビデ洗浄流路ＦＣ３、ワイドビデ洗浄流路ＦＣ４、ノズル洗浄室３６、噴霧ノズル３８、及び脱臭ユニット４０のいずれかに切り替える。また、流調・流路切替弁５５は、洗浄ノズル３４の各吐水孔３５ａ〜３５ｃから吐水する洗浄水の吐水流量を変更する。
【００３８】
ノズル洗浄室３６は、吐水部３６ａを有する。ノズル洗浄室３６は、吐水部３６ａから洗浄水又は機能水を吐水することにより、洗浄ノズル３４の外面の洗浄、即ち胴体洗浄を行う。
【００３９】
噴霧ノズル３８は、便器４のボウル部４ａの表面に洗浄水又は機能水を噴霧する。噴霧ノズル３８は、ケースカバー２０の内部に設けてもよいし、ケースカバー２０の外部に取り付けてもよい。
【００４０】
制御部４２は、例えば、人体検知センサ３２による使用者の入室の検知に応答して、噴霧ノズル３８から便器４のボウル部４ａの表面に水滴を噴霧する。すなわち、制御部４２は、使用者が便器４を使用する前に、便器４のボウル部４ａの表面を水滴で濡らす。これにより、ボウル部４ａの表面に付着する汚物を軽減させることができる。
【００４１】
また、制御部４２は、例えば、人体検知センサ３２がトイレルーム内の使用者を検知しなくなってから所定時間（例えば、９０秒後）が経過した際に、噴霧ノズル３８から便器４のボウル部４ａの表面に機能水を噴霧する。すなわち、制御部４２は、使用者が汚物を流し便器４の使用を終了した後に、ボウル部４ａの表面を機能水（次亜塩素酸水）で濡らす。これにより、悪臭のもとになる菌が、ボウル部４ａにおいて増えてしまうことを抑えることができる。便器４から悪臭が放出されることを抑えることができる。
【００４２】
脱臭ユニット４０は、トイレルーム内の空気を吸い込む。トイレルーム内の空気とは、主として便器４の外部の空気（ボウル部４ａ内以外の空気）をいう。脱臭ユニット４０は、吸い込んだ空気に含まれる悪臭成分を捕集又は分解する。「悪臭成分」は、例えば、アンモニア成分である。脱臭ユニット４０は、悪臭成分を捕集又は分解した空気を、ケースカバー２０の外部（トイレルーム）に吐き出す。
【００４３】
脱臭ユニット４０は、集塵フィルタ６０と、ファン（送風部）６１と、脱臭フィルタ６２と、噴霧部６３と、水受け部６４と、吸気口６５と、排気口６６と、を有する。
【００４４】
ファン６１は、吸気口６５からトイレルーム内の空気を吸い込み、吸い込んだ空気を排気口６６からトイレルームへ吐き出す。集塵フィルタ６０は、吸気口６５とファン６１との間に設けられ、吸い込んだ空気に含まれる塵や埃などが、ファン６１へ送られることを抑制する。
【００４５】
脱臭フィルタ６２は、ファン６１と排気口６６との間に設けられる。噴霧部６３は、脱臭フィルタ６２よりも上方に設けられている。噴霧部６３は、電磁弁を有する。噴霧部６３は、制御部４２の制御に基づいて開弁動作を行い、流調・流路切替弁５５から供給された洗浄水又は機能水を、脱臭フィルタ６２の上方から脱臭フィルタ６２に向けて噴霧する。
【００４６】
脱臭フィルタ６２は、例えば、多孔質構造を有し、噴霧部６３から噴霧された洗浄水又は機能水を保持する。水受け部６４は、脱臭フィルタ６２の下方に設けられ、脱臭フィルタ６２から滴下した水を受ける。
【００４７】
ファン６１が作動すると、吸気口６５から吸い込まれたトイレルーム内の空気が、脱臭フィルタ６２内を通過する。脱臭フィルタ６２が水分を保持した状態において、空気が脱臭フィルタ６２内を通過すると、空気の中に含まれる悪臭成分が、脱臭フィルタ６２に保持された水分に取り込まれる。例えば、空気中に含まれるアンモニア（ＮＨ３）が、脱臭フィルタ６２に保持された水分に溶解する。これにより、空気中に含まれる悪臭成分を低減させることができる。
【００４８】
悪臭成分が低減された空気は、排気口６６からトイレルームへ排出される。このように、脱臭ユニット４０は、トイレルーム内に常在する悪臭成分を捕集又は分解することができる。よって、使用者は、トイレルームに入室する際に、トイレルーム内に常在する悪臭成分による臭気を吸う可能性が低くなり、快適にトイレルームを利用できる。
【００４９】
制御部４２は、例えば、使用者のトイレ装置２の使用頻度の低い時間帯においては、ファン６１の動作を停止させる。そして、制御部４２は、使用者のトイレ装置２の使用頻度の高い時間帯においては、ファン６１を動作させるとともに、定期的に噴霧部６３を動作させ、脱臭フィルタ６２に水分を保持させる。
【００５０】
これにより、使用者がトイレルームに入室する可能性が高い時間帯において、トイレルーム内に常在する臭気を取り除くことができる。したがって、使用者が、トイレルーム内に常在する臭気を吸うことで、不快感を感じることを抑制することができる。
【００５１】
図３は、流調・流路切替弁を表す説明図である。  
図３に表したように、流調・流路切替弁５５は、固定ディスク（ステータ）８０と、可動ディスク（ロータ）８２と、ハウジング８４と、駆動機構８６と、を有する。
【００５２】
固定ディスク８０は、例えば、円板状であり、前面８０ａ（上流側を向く面）と、前面８０ａの反対側の背面８０ｂ（下流側を向く面）と、を有する。固定ディスク８０は、おしり洗浄流路ＦＣ１、おしりソフト流路ＦＣ２、ビデ洗浄流路ＦＣ３、ワイドビデ洗浄流路ＦＣ４、ノズル洗浄室３６、噴霧ノズル３８、及び脱臭ユニット４０のそれぞれに対応した複数のポート（開口部）を有する。固定ディスク８０の各ポートは、上記の各部と個別に接続されている。
【００５３】
可動ディスク８２は、例えば、固定ディスク８０と同程度の径を有する円板状である。可動ディスク８２は、固定ディスク８０の上流側に設けられる。可動ディスク８２は、固定ディスク８０の前面８０ａに当接する。可動ディスク８２は、前面８０ａと直交する方向を軸（以下、回転軸ＲＡと称す）に、前面８０ａの上で摺動回転する。可動ディスク８２は、固定ディスク８０の１つのポートに対応する開口部を有する。例えば、可動ディスク８２の開口部が、固定ディスク８０の１つのポートと重なると、固定ディスク８０の別のポートが、可動ディスク８２によって閉塞される。これにより、可動ディスク８２の開口部と重なった１つのポートのみに通水が可能となる。
【００５４】
流調・流路切替弁５５は、可動ディスク８２を回転させることにより、通水可能となるポートを選択的に切り替える。これにより、選択するポートに応じて、おしり洗浄流路ＦＣ１、おしりソフト流路ＦＣ２、ビデ洗浄流路ＦＣ３、ワイドビデ洗浄流路ＦＣ４、ノズル洗浄室３６、噴霧ノズル３８、及び脱臭ユニット４０のいずれかに、洗浄水又は機能水を選択的に供給することができる。
【００５５】
ハウジング８４は、例えば、筒状であり、内部の空間に固定ディスク８０及び可動ディスク８２を収容する。ハウジング８４は、可動ディスク８２を回転可能に支持する。ハウジング８４の可動ディスク８２よりも上流側の内部空間は、配管などを介して電磁ポンプ５４と接続されている。電磁ポンプ５４を介して供給された洗浄水又は機能水は、ハウジング８４の内部空間から可動ディスク８２及び固定ディスク８０を介して各部に供給される。
【００５６】
駆動機構８６は、可動ディスク８２に対して駆動力を供給し、可動ディスク８２を回転させる。駆動機構８６は、制御部４２に接続されており、制御部４２の制御に基づいて可動ディスク８２を回転させる。制御部４２は、駆動機構８６を駆動して可動ディスク８２を回転させ、固定ディスク８０の各ポートのいずれかを選択することにより、洗浄水又は機能水の行き先を切り替える。なお、駆動機構８６は、漏水を招くことなく可動ディスク８２を回転させることができる任意の機構でよい。
【００５７】
図４（ａ）及び図４（ｂ）は、固定ディスクを表す平面図及び背面図である。  
図４（ａ）は、固定ディスク８０の前面８０ａを表し、図４（ｂ）は、固定ディスク８０の背面８０ｂ（下流側を向く面）を表す。固定ディスク８０は、前面８０ａにおいて可動ディスク８２と当接し、背面８０ｂ側において洗浄ノズル３４などの各部と接続される。
【００５８】
図４（ａ）及び図４（ｂ）に表したように、固定ディスク８０は、第１〜第４の４つのポート１０１〜１０４と、第１補助ポート１１１と、第２補助ポート１１２と、第１溝部１２１と、第２溝部１２２と、を有する。
【００５９】
第１ポート１０１〜第４ポート１０４は、固定ディスク８０の前面８０ａにおいて、可動ディスク８２の回転軸ＲＡを中心とする第１円周Ｃ１上に配置され、それぞれ時計方向に順に並ぶ。すなわち、前面８０ａと正対した状態において、第１ポート１０１から第１円周Ｃ１に沿って右方向に回転した位置に、第２ポート１０２が配置される。同様に、第２ポート１０２から右方向に回転位置に、第３ポート１０３が配置され、第３ポート１０３から右方向に回転位置に、第４ポート１０４が配置される。
【００６０】
第１ポート１０１〜第４ポート１０４は、第１円周Ｃ１の中心（回転軸ＲＡ）を基準に、前面８０ａを第１領域Ｒ１〜第４領域Ｒ４の等角度の４つの領域に分けた時に、第１領域Ｒ１〜第４領域Ｒ４のそれぞれに配置される。第１ポート１０１は、第１領域Ｒ１に配置され、第２ポート１０２は、第２領域Ｒ２に配置され、第３ポート１０３は、第３領域Ｒ３に配置され、第４ポート１０４は、第４領域Ｒ４に配置される。
【００６１】
ここで、第１円周Ｃ１上の第１ポート１０１と第２ポート１０２との中間位置ＭＰと第１円周Ｃ１の中心とを結ぶ仮想的な線を第１仮想線ＶＬ１とする。第１円周Ｃ１の中心を通り第１仮想線ＶＬ１と直交する仮想的な線を第２仮想線ＶＬ２とする。第１領域Ｒ１〜第４領域Ｒ４は、例えば、第１仮想線ＶＬ１と第２仮想線ＶＬ２とで区切られた領域である。
【００６２】
第１補助ポート１１１は、前面８０ａにおいて第１円周Ｃ１と同軸かつ第１円周Ｃ１よりも径が小さい第２円周Ｃ２上に配置されている。図４（ｂ）に表したように、第１補助ポート１１１は、背面８０ｂ側において溝部１１３を介して第３ポート１０３と連通する。
【００６３】
第２補助ポート１１２は、前面８０ａにおいて第２円周Ｃ２上に配置され、背面８０ｂ側において溝部１１４を介して第４ポート１０４と連通する。
【００６４】
第２補助ポート１１２は、例えば、第１円周Ｃ１の中心を挟んで第１補助ポート１１１の反対側に設けられている。すなわち、第２補助ポート１１２は、第１補助ポート１１１と略１８０度の関係にある。略１８０度とは、例えば、１８０度±５度の範囲である。より好ましくは、１８０度±１度の範囲である。
【００６５】
また、第１補助ポート１１１及び第２補助ポート１１２は、例えば、第２仮想線ＶＬ２上に配置される。換言すれば、第１補助ポート１１１及び第２補助ポート１１２は、例えば、第２円周Ｃ２と第２仮想線ＶＬ２との交点に配置される。
【００６６】
第１溝部１２１は、前面８０ａに設けられ、第１ポート１０１から第２ポート１０２に向かって延びる。より詳しくは、第１溝部１２１は、第１ポート１０１から中間位置ＭＰに向かって延びる。
【００６７】
第２溝部１２２は、前面８０ａに設けられ、第２ポート１０２から第１ポート１０１に向かって延びる。より詳しくは、第２溝部１２２は、第２ポート１０２から中間位置ＭＰに向かって延びる。
【００６８】
また、この例において、固定ディスク８０は、第５ポート１０５〜第７ポート１０７をさらに有する。第５ポート１０５は、第１円周Ｃ１上において、第３ポート１０３と第４ポート１０４との間に配置されている。第６ポート１０６は、第１円周Ｃ１上において、第４ポート１０４と第５ポート１０５との間に配置されている。また、この例では、第５ポート１０５が第３領域Ｒ３に配置され、第６ポート１０６が第４領域Ｒ４に配置されている。
【００６９】
第７ポート１０７は、第２円周Ｃ２上において、第１補助ポート１１１と第２補助ポート１１２との間に配置されている。第７ポート１０７は、例えば、第２円周Ｃ２と第１仮想線ＶＬ１との交点に配置される。第７ポート１０７は、例えば、第１補助ポート１１１及び第２補助ポート１１２と略９０度の関係にある。略９０度とは、例えば、９０度±５度の範囲である。より好ましくは、９０度±１度の範囲である。この例では、第７ポート１０７が、第３領域Ｒ３及び第４領域Ｒ４側に配置されている。これとは反対に、第７ポート１０７は、第１領域Ｒ１及び第２領域Ｒ２側に配置してもよい。
【００７０】
第１ポート１０１は、例えば、ワイドビデ洗浄流路ＦＣ４と接続される。第２ポート１０２は、例えば、おしりソフト流路ＦＣ２と接続される。第３ポート１０３は、例えば、おしり洗浄流路ＦＣ１と接続される。第４ポート１０４は、例えば、ビデ洗浄流路ＦＣ３と接続される。このように、第１ポート１０１〜第４ポート１０４は、局部洗浄用の各流路ＦＣ１〜ＦＣ４のいずれかと接続される。
【００７１】
第５ポート１０５は、例えば、脱臭ユニット４０の噴霧部６３と接続される。第６ポート１０６は、例えば、噴霧ノズル３８と接続される。第７ポート１０７は、例えば、ノズル洗浄室３６の吐水部３６ａと接続される。このように、第５ポート１０５〜第７ポート１０７は、局部洗浄以外の用途の吐水部や噴霧部に洗浄水又は機能水を供給する流路と接続される。
【００７２】
図４（ａ）に表したように、固定ディスク８０は、第１調整溝１３１〜第４調整溝１３４をさらに有する。第１調整溝１３１〜第４調整溝１３４は、前面８０ａに設けられる。第１調整溝１３１は、第１ポート１０１から第１円周Ｃ１に沿って周方向に延びる。第２調整溝１３２は、第２ポート１０２から第１円周Ｃ１に沿って周方向に延びる。第３調整溝１３３は、第３ポート１０３から第１円周Ｃ１に沿って周方向に延びる。第４調整溝１３４は、第４ポート１０４から第１円周Ｃ１に沿って周方向に延びる。第１調整溝１３１〜第４調整溝１３４は、例えば、第２仮想線ＶＬ２に向かって周方向に延びる。
【００７３】
図５は、第１調整溝を表す断面図である。  
図５は、図４（ａ）のＡ１−Ａ２線断面を表す。  
図５に表したように、第１調整溝１３１は、第１ポート１０１から離間するに従って、深さが浅くなる。第１調整溝１３１の深さは、第１ポート１０１から離間するに従って、連続的に浅くなってもよいし、段階的に浅くなってもよい。
【００７４】
第１調整溝１３１と同様に、第２調整溝１３２は、第２ポート１０２から離間するに従って、深さが浅くなる。第３調整溝１３３は、第３ポート１０３から離間するに従って、深さが浅くなる。第４調整溝１３４は、第４ポート１０４から離間するに従って、深さが浅くなる。
【００７５】
図６は、固定ディスク及び可動ディスクを表す平面図である。  
図６に表したように、可動ディスク８２は、第１開口部１５１と、第２開口部１５２と、第３開口部１５３と、を有する。
【００７６】
第１開口部１５１は、第１円周Ｃ１上に配置され、第１ポート１０１〜第６ポート１０６を選択的に露呈させる。また、第１開口部１５１は、図６に表したように、第１円周Ｃ１上の第１ポート１０１と第２ポート１０２との中間位置ＭＰにおいて、第１溝部１２１及び第２溝部１２２を同時に露呈させる。これにより、第１開口部１５１が中間位置ＭＰにある状態においては、第１ポート１０１と第２ポート１０２とに同時に通水を行うことができる。この例において、第１開口部１５１は、可動ディスク８２の外周に設けられた切り欠き状である。第１開口部１５１は、貫通孔状でもよい。
【００７７】
第２開口部１５２は、第１開口部１５１が中間位置ＭＰにある状態において、第１補助ポート１１１を露呈させる。第３開口部１５３は、第１開口部１５１が中間位置ＭＰにある状態において、第２補助ポート１１２を露呈させる。
【００７８】
このように、第１開口部１５１が中間位置ＭＰにある状態においては、第１溝部１２１及び第２溝部１２２が第１開口部１５１によって露呈され、第１補助ポート１１１が第２開口部１５２によって露呈され、第２補助ポート１１２が第３開口部１５３によって露呈される。従って、第１開口部１５１が中間位置ＭＰにある状態においては、第１ポート１０１〜第４ポート１０４のそれぞれに同時に通水を行うことができる。すなわち、第１開口部１５１が中間位置ＭＰにある状態においては、局部洗浄用の各流路ＦＣ１〜ＦＣ４のそれぞれに同時に通水を行うことができる。
【００７９】
第１開口部１５１と第１円周Ｃ１の中心とを結ぶ第３仮想線ＶＬ３は、例えば、第２開口部１５２と第３開口部１５３とを結ぶ第４仮想線ＶＬ４と直交する。すなわち、第１開口部１５１は、第２開口部１５２及び第３開口部１５３のそれぞれと略９０度の関係にある。
【００８０】
可動ディスク８２は、第１円周Ｃ１上において第１開口部１５１を配置可能な可動範囲ＭＲと、第１開口部１５１の配置が規制された規制範囲ＢＲと、を有する。中間位置ＭＰは、第１円周Ｃ１の中心を挟んで規制範囲ＢＲの反対側に設けられている。なお、規制範囲ＢＲは、ストッパなどによって可動ディスク８２の回転を物理的に規制した範囲でもよいし、制御部４２及び駆動機構８６などによって可動ディスク８２の回転を制御的に規制した範囲でもよい。
【００８１】
図７（ａ）〜図７（ｈ）は、可動ディスクの動作を表す平面図である。  
図７（ａ）に表したように、第１開口部１５１を第６ポート１０６の上に配置する。この場合、他のポートは、可動ディスク８２によって閉塞される。これにより、噴霧ノズル３８のみに通水を行うことが可能となる。
【００８２】
図７（ｂ）に表したように、図７（ａ）の状態から可動ディスク８２を時計方向に回転させ、第１開口部１５１を第４ポート１０４の上に配置する。この場合、他のポートは、可動ディスク８２によって閉塞される。これにより、ビデ洗浄流路ＦＣ３のみに通水を行うことが可能となる。
【００８３】
また、この際、第１開口部１５１を第４調整溝１３４の上に配置するとともに、第１開口部１５１の位置によって、露呈される第４調整溝１３４の深さを変化させる。すなわち、第４調整溝１３４において、水の流れる断面積を変化させる。これにより、ビデ洗浄流路ＦＣ３に供給する洗浄水又は機能水の流量を調整することができる。このように、第１調整溝１３１〜第４調整溝１３４により、各流路ＦＣ１〜ＦＣ４に供給する洗浄水又は機能水の流量を調整することができる。
【００８４】
図７（ｃ）に表したように、図７（ｂ）の状態から可動ディスク８２を時計方向にさらに回転させ、第３開口部１５３を第７ポート１０７の上に配置する。この場合、他のポートは、可動ディスク８２によって閉塞される。これにより、ノズル洗浄室３６のみに通水を行うことが可能となる。
【００８５】
図７（ｄ）に表したように、図７（ｃ）の状態から可動ディスク８２を時計方向にさらに回転させ、第１開口部１５１を第１ポート１０１の上に配置する。この場合、他のポートは、可動ディスク８２によって閉塞される。これにより、ワイドビデ洗浄流路ＦＣ４のみに通水を行うことが可能となる。
【００８６】
図６に表したように、図７（ｄ）の状態から可動ディスク８２を時計方向にさらに回転させ、第１開口部１５１を中間位置ＭＰに配置する。この場合、前述のように、第１溝部１２１及び第２溝部１２２が第１開口部１５１によって露呈され、第１補助ポート１１１が第２開口部１５２によって露呈され、第２補助ポート１１２が第３開口部１５３によって露呈される。また、この場合、第１ポート１０１〜第７ポート１０７は、可動ディスク８２によって閉塞される。これにより、局部洗浄用の各流路ＦＣ１〜ＦＣ４のみに同時に通水を行うことができる。
【００８７】
図７（ｅ）に表したように、図６の状態から可動ディスク８２を時計方向にさらに回転させ、第１開口部１５１を第２ポート１０２の上に配置する。この場合、他のポートは、可動ディスク８２によって閉塞される。これにより、おしりソフト流路ＦＣ２のみに通水を行うことが可能となる。
【００８８】
図７（ｆ）に表したように、図７（ｅ）の状態から可動ディスク８２を時計方向にさらに回転させ、第２開口部１５２を第７ポート１０７の上に配置する。この場合、他のポートは、可動ディスク８２によって閉塞される。これにより、ノズル洗浄室３６のみに通水を行うことが可能となる。
【００８９】
図７（ｇ）に表したように、図７（ｆ）の状態から可動ディスク８２を時計方向にさらに回転させ、第１開口部１５１を第３ポート１０３の上に配置する。この場合、他のポートは、可動ディスク８２によって閉塞される。これにより、おしり洗浄流路ＦＣ１のみに通水を行うことが可能となる。
【００９０】
そして、図７（ｈ）に表したように、図７（ｇ）の状態から可動ディスク８２を時計方向にさらに回転させ、第１開口部１５１を第５ポート１０５の上に配置する。この場合、他のポートは、可動ディスク８２によって閉塞される。これにより、脱臭ユニット４０のみに通水を行うことが可能となる。
【００９１】
このように、固定ディスク８０及び可動ディスク８２では、各流路ＦＣ１〜ＦＣ４に選択的に洗浄水又は機能水を供給できるとともに、各流路ＦＣ１〜ＦＣ４に同時に洗浄水又は機能水を供給することができる。そして、固定ディスク８０及び可動ディスク８２では、可動ディスク８２の可動範囲ＭＲにおいて、各流路ＦＣ１〜ＦＣ４に同時に通水が行われる状態を、一度のみとすることができる。
【００９２】
次に、本実施形態に係る衛生洗浄装置１０の動作について説明する。  
衛生洗浄装置１０の制御部４２は、人体検知センサ３２がトイレルームへの使用者の入室を検知すると、可動ディスク８２を図７（ａ）に表した状態とし、噴霧ノズル３８から便器４のボウル部４ａの表面に水滴を噴霧する。これにより、ボウル部４ａの表面に付着する汚物を軽減させることができる。
【００９３】
衛生洗浄装置１０は、使用者の身体の洗浄（本洗浄）を開始する前に、温水準備の動作を実行する。温水準備は、第１の温水準備工程と、第２の温水準備工程と、を有する。
【００９４】
制御部４２は、操作部４４から局部洗浄動作の指示を受けると、第１の温水準備工程を実行する。  
第１の温水準備工程は、「前洗浄」の工程と、「胴体洗浄」の工程と、を有する。
【００９５】
「前洗浄」では、制御部４２は、流路開閉弁５０および流調・流路切替弁５５を制御し、可動ディスク８２を図６に表した状態とすることにより、吐水部３５が有するすべての吐水孔３５ａ〜３５ｃから水を吐水させる。これにより、熱交換器５１と洗浄ノズル３４との間の各流路ＦＣ１〜ＦＣ４の内部の水は、熱交換器５１により加熱された温水に置換される。
【００９６】
前洗浄の動作中には、洗浄ノズル３４は、ケースカバー２０の内部に後退した待機状態にある。そのため、吐水部３５から吐水された水は、例えばノズル洗浄室３６の内面により反射して洗浄ノズル３４の外周面や吐水部３５にかかる。これにより、洗浄ノズル３４の外周面や吐水部３５は、洗浄ノズル３４自身が吐水した水であって、ノズル洗浄室３６の内面により反射した水によって洗浄される（セルフクリーニング）。
【００９７】
「胴体洗浄」では、制御部４２は、流路開閉弁５０および流調・流路切替弁５５を制御し、可動ディスク８２を図７（ｃ）又は図７（ｆ）に表した状態とすることにより、ノズル洗浄室３６に設けられた吐水部３６ａから水を噴射させる。これにより、洗浄ノズル４７３の外周表面を洗浄することができる。制御部４２は、例えば、ビデ洗浄又はワイドビデ洗浄が指示された場合に、可動ディスク８２を図７（ｃ）に表した状態とし、おしり洗浄又はおしりソフト洗浄が指示された場合に、可動ディスク８２を図７（ｆ）に表した状態とする。
【００９８】
制御部４２は、図示を省略したノズルモータを制御し、洗浄ノズル３４を便器４のボウル部４ａ内に進出させる。制御部４２は、洗浄ノズル３４の進出時にノズル洗浄室３６の吐水部３６ａから水を噴射させることで、洗浄ノズル３４の外周表面を洗浄する。
【００９９】
このように、制御部４２は、第１の温水準備工程を実行することで、熱交換器５１と洗浄ノズル３４との間の各流路ＦＣ１〜ＦＣ４の内部の水の温度を熱交換器５１により規定の温度まで昇温させることができる。この後、制御部４２は、流調・流路切替弁５５を制御し、使用者からの指示に基づいて局部洗浄用の各流路ＦＣ１〜ＦＣ４のいずれかに通水を行う。ノズル洗浄室３６に対応する位置から各流路ＦＣ１〜ＦＣ４の位置に可動ディスク８２を回転させる際、各調整溝１３１〜１３４により、徐々に流量を増大させることができる。
【０１００】
また、制御部４２は、例えば、着座検知センサ３１が便座１４に着座した使用者を検知すると、第１の温水準備工程を実行する前に第２の温水準備工程を実行する。  
第２の温水準備工程は、「捨水」の工程を有する。  
なお、第２の温水準備工程の開始のトリガは、着座検知センサ３１が使用者を検知することに限定されず、人体検知センサ３２あるいは入室検知センサなどが使用者を検知することであってもよい。
【０１０１】
「捨水」では、制御部４２は、流路開閉弁５０および流調・流路切替弁５５を制御し、可動ディスク８２を図６に表した状態とすることにより、吐水部３５が有するすべての吐水孔３５ａ〜３５ｃから水を吐水させる。これにより、流路の内部の水は、便器４のボウル部４ａに排出される。
【０１０２】
このように、制御部４２は、第２の温水準備工程を実行することで、流路の内部への給水を開始し、流路の内部に残っていた水を便器４のボウル部４ａに排出する。なお、第２の温水準備工程は、必ずしも実行されなくともよい。
【０１０３】
以上、説明したように、本実施形態に係る衛生洗浄装置１０によれば、第１ポート１０１〜第４ポート１０４を同一円周上に配置することができるとともに、第１補助ポート１１１及び第２補助ポート１１２を同一円周上に配置することができ、洗浄モードの多様化に対応しつつ、固定ディスク８０及び可動ディスク８２の大型化を抑制することができる。また、第１ポート１０１〜第４ポート１０４に同時に通水を行う中間位置ＭＰを、規制範囲ＢＲの反対側に設けることにより、可動ディスク８２の可動範囲ＭＲにおいて、第１ポート１０１〜第４ポート１０４に同時に通水が行われる状態を、一度のみとすることができる。これにより、意図しない流路への洗浄水又は機能水の供給を抑制し、制御性を向上させることができる。従って、洗浄モードの多様化に対応しつつ、固定ディスク８０及び可動ディスク８２の大型化を抑制し、かつ良好な制御性を得られる衛生洗浄装置１０を提供することができる。
【０１０４】
また、衛生洗浄装置１０では、第２補助ポート１１２が、第１円周Ｃ１の中心を挟んで第１補助ポート１１１の反対側に設けられている。これにより、第１補助ポート１１１及び第２補助ポート１１２を効率的に配置することができる。可動ディスク８２の可動範囲ＭＲを広げ、固定ディスク８０及び可動ディスク８２の大型化をより抑制することができる。
【０１０５】
また、衛生洗浄装置１０では、第１開口部１５１と第１円周Ｃ１の中心とを結ぶ第３仮想線ＶＬ３が、第２開口部１５２と第３開口部１５３とを結ぶ第４仮想線ＶＬ４と直交する。これにより、第２開口部１５２及び第３開口部１５３を効率的に配置し、固定ディスク８０及び可動ディスク８２の大型化をより抑制することができる。
【０１０６】
また、衛生洗浄装置１０では、第１ポート１０１〜第４ポート１０４が、第１領域Ｒ１〜第４領域Ｒ４のそれぞれに配置される。これにより、第１ポート１０１〜第４ポート１０４を効率的に配置し、固定ディスク８０及び可動ディスク８２の大型化をより抑制することができる。
【０１０７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や衛生洗浄装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０８】
２ トイレ装置、  ４ 便器、  １０ 衛生洗浄装置、  １２ 本体部、  １４ 便座、  １６ 便蓋、  ２０ ケースカバー、  ３０ 洗浄水供給部、  ３１ 着座検知センサ、  ３２ 人体検知センサ、  ３４ 洗浄ノズル、  ３５ 吐水部、  ３６ ノズル洗浄室、  ３８ 噴霧ノズル、  ４０ 脱臭ユニット、  ４２ 制御部、  ４４ 操作部、  ５０ 流路開閉弁、  ５１ 熱交換器、  ５２ 電解槽、  ５３ バキュームブレーカー、  ５４ 電磁ポンプ、  ５５ 流調・流路切替弁（流路切替部）、  ６０ 集塵フィルタ、  ６１ ファン、  ６２ 脱臭フィルタ、  ６３ 噴霧部、  ６４ 水受け部、  ６５ 吸気口、  ６６ 排気口、  ８０ 固定ディスク、  ８２ 可動ディスク、  ８４ ハウジング、  ８６ 駆動機構、  １０１〜１０７ ポート、  １１１ 第１補助ポート、  １１２ 第２補助ポート、  １１３、１１４ 溝部、  １２１ 第１溝部、  １２２ 第２溝部、  １３１〜１３４ 調整溝、  １５１〜１５３ 開口部
【図１】
2018031125.tif 000003
【図２】
2018031125.tif 000004
【図３】
2018031125.tif 000005
【図４】
2018031125.tif 000006
【図５】
2018031125.tif 000007
【図６】
2018031125.tif 000008
【図７】
2018031125.tif 000009